(57)【要約】      （修正有）【課題】作業者の疲労を少なくすることが可能なクリップボードを提供する。【解決手段】下側ボード１と、上側ボード２と、下側ボードの上面の上端近傍に取り付けられたクリップ金具３と、下側ボードの上方に設けられた前記クリップ金具よりも大きい開口部と、下側ボードの上端と上側ボードの上端とを結合するヒンジ部５ａ、５ｂと、下側ボードの下端に設けられた滑り止め部６ａと、上側ボードの下端に設けられた滑り止め部６ｂとを有することを特徴とする。【選択図】図４
0003139077.tif 000002
【実用新案登録請求の範囲】
【請求項１】
下側ボードと、
上側ボードと、
下側ボードの上面の上端近傍に取り付けられたクリップ金具と、
下側ボードの上方に設けられた前記クリップ金具よりも大きい開口部と、
下側ボードの上端と上側ボードの上端とを結合するヒンジ部と、
下側ボードの下端に設けられた滑り止め部と、
上側ボードの下端に設けられた滑り止め部とを有することを特徴とするクリップボード。
【請求項２】
前記下側ボードの滑り止め部と下側ボードの滑り止め部は、スチレン系熱可塑性エラストマー材からなることを特徴とする請求項１に記載のクリップボード。
【請求項３】
前記ヒンジ部はスチレン系熱可塑性エラストマー材からなることを特徴とする請求項１、または２に記載のクリップボード。
【請求項４】
前記下側ボードと上側ボードはポリプロピレン材からなることを特徴とする請求項１〜３のいずれかに記載のクリップボード。
【考案の詳細な説明】
【技術分野】
【０００１】
本考案はクリップボードに関し、特に上下２枚のボードからなるクリップボードに関する。
【背景技術】
【０００２】
従来のクリップボードとして、用紙を載せるボードと、ボード上に取り付けられた用紙を挟むクリップ金具とからなるものが知られている。
【０００３】
クリップボードは、医療関係で患者に向かって問診を行うときなどに利用されている。また、街頭で通行人からアンケートを取得する場合にも、よく利用されている。
【０００４】
クリップボードは、用紙をクリップ金具によりボードに押し付けた状態で使うので、クリップボードが斜めになろうが、逆さになろうが、用紙はクリップボードから落下することがない。
【０００５】
また、用紙に書き込みを行うとき、ボードを下敷きとして使うことができるので、机がないところでも、用紙に記入できる便利さがある。
【考案の開示】
【考案が解決しようとする課題】
【０００６】
ところで、従来のクリップボードによれば、クリップボード上の用紙に記入した内容をパソコンにデータ入力するとき、頻繁に、机の上に置いた斜め下のクリップボードの用紙を見たり、正面のパソコン画面を見たりしなければならない。このとき、作業者の目線の移動が大きいので、目の疲労が大きいという問題があった。
【０００７】
本願考案は、かかる問題に鑑みて創作されたものであって、作業者の疲労を少なくすることが可能なクリップボードの提供を目的とする。
【課題を解決するための手段】
【０００８】
上記課題を解決するため、第１の考案は、下側ボードと、上側ボードと、下側ボードの上面の上端近傍に取り付けられたクリップ金具と、下側ボードの上方に設けられた前記クリップ金具よりも大きい開口部と、下側ボードの上端と上側ボードの上端とを結合するヒンジ部と、下側ボードの下端に設けられた滑り止め部と、上側ボードの下端に設けられた滑り止め部とを有することを特徴とする。
【０００９】
第２の考案は、第１の考案に係り、前記ヒンジ部はスチレン系熱可塑性エラストマー材からなることを特徴とする。
【００１０】
第３の考案は、第１または２の考案に係り、前記ヒンジ部はスチレン系熱可塑性エラストマー材からなることを特徴とする。
【００１１】
第４の考案は、第１〜３のいずれか一の考案に係り、前記下側ボードと上側ボードはポリプロペレン材からなることを特徴とする。
【考案の効果】
【００１２】
本考案によれば、上側ボードと下側ボードに設けられた滑り止め部を利用してクリップボードを立脚することができるので、クリップボード上の用紙に記入した内容をパソコンにデータ入力するとき、作業者のクリップボードの用紙に対する目線とパソコンの画面に対する目線とをほとんど変える必要がなく、また特に首を動かすことが不要となるので、目や体の疲労を少なくすることが可能になる。
【考案を実施するための最良の形態】
【００１３】
（１）クリップボード
以下、本考案の実施形態に係るクリップボードについて、図１〜図３を参照して説明する。図１は、ポリプロピレン材からなる上側ボード２と下側ボード１が開いた状態を示している。下側ボード１の上面の上端の中央に位置するクリップ金具３は、２本のリベット３aにより下側ボード１に取り付けられている。またクリップ金具３の留め金３cは、ばね機構３bによって付勢されており、用紙を上から押さえて落下しないようにしている。
【００１４】
下側ボード１の下端には、該下端を挟み込むように、スチレン系熱可塑性エラストマー材の薄板が接着剤により取り付けられて、滑り止め部６aを形成している。なお、スチレン系熱可塑性エラストマー材としては、セプトン（株式会社クラレの商標名）を使用することができる。なお、セプトンはゴム弾性に優れ、高い摩擦係数をもっている。
【００１５】
上側ボード２の上端の中央には開口部４が形成されている。これにより、図２に示すように、下側ボード１のクリップ金具３が上側ボード２に接触しないように、上側ボード２を下側ボード１に重ねることができる。上側ボード２の下端には、下側ボード１と同様に、スチレン系熱可塑性エラストマー材の滑り止め部６bが設けられている。
【００１６】
さらに、下側ボード１の上端と上側ボード２の上端との間にヒンジ部５a、５bが設けられている。これにより、下側ボード１と上側ボード２とを開閉自在にし、あるいは、所定の角度で広げることができる。ヒンジ部５a、５bはスチレン系熱可塑性エラストマー材からなり、例えばセプトン（株式会社クラレの商標名）を使用することができる。特にセプトンは柔軟性に優れているので、ヒンジ部に好適である。なお、８は掛け金である。
【００１７】
ヒンジ部５a、５bに使用されたセプトンは柔軟性に富んでおり、クリップボードの上側ボード２を容易に回すことができる。そして、上側ボード２を下側ボード１の上に重ねた状態が図２である。反対に上側ボード２を回して、下側ボード１の下に上側ボード２をもってきたときの状態が図３である。
【００１８】
次に本実施形態のクリップボードを実際に使用した場合を説明する。たとえば、医療現場で患者に問診を行った際、患者の答えを用紙（不図示）に記入するときは、図３の状態で行う。
【００１９】
用紙への記入が終わった後、クリップボードの用紙の内容をパソコンにデータ入力するとき、図４のように、不図示のパソコンのディスプレイ画面のすぐ横に、本実施形態のクリップボードを立てる。このとき、上側ボード２と下側ボード１を少し開いた状態にすると、上側ボード２の下端の滑り止め部６bおよび下側ボード１の下端の滑り止め部６aと机との間で摩擦力が充分に働く。このため、ボードが滑って両側に開いたり、ボードが一方に倒れ込むことを防止できる。
【００２０】
従って、パソコンのデータ入力において、クリップボードの用紙とディスプレイ画面の高さがほぼ同じで、目線を頻繁に動かすことを少なくすることができる。また首の移動をする必要がないので、作業による目や体の疲労を大幅に減らすことが可能となる。
【００２１】
なお、実施の形態では、滑り止め部やヒンジ部にスチレン系熱可塑性エラストマー材を用いたが、同様な機能をもつ材料であれば、他の材料を用いてもよいこと明らかである。
【００２２】
また、滑り止め部としてスチレン系熱可塑性エラストマー材の薄板を用いる代わりに、滑り止め用の薬剤処理を施したり、滑り止め用の塗料を塗っても、同様な効果を得ることができる。
【図面の簡単な説明】
【００２３】
【図１】図１は本考案の実施形態に係るクリップボードを両側に開いた状態を上から見た図である。
【図２】図２は、本考案の実施形態に係るクリップボードの上側ボード１を上に、下側ボード２を下にした状態を示す図である。
【図３】図３は本考案の実施形態に係るクリップボードの上側ボード１を下に、下側ボード２を上にした状態を示す図である。
【図４】図４は本考案の実施形態に係るクリップボードの上側ボード１と下側ボードを２とを少し開いて机の上に立てた状態を示す図である。
【符号の説明】
【００２４】
１・・・下側ボード、
２・・・上側ボード、
３・・・クリップ金具、
４・・・開口部、
５a、５b・・・ヒンジ部、
６a、６b・・・滑り止め部
【図１】
0003139077.tif 000003
【図２】
0003139077.tif 000004
【図３】
0003139077.tif 000005
【図４】
0003139077.tif 000006